(57)【要約】【課題】机の天板上の塵挨を容易且つ確実に収集して廃棄することのできるダストボックスを提供する。【解決手段】本発明は、机６に着脱可能なダストボックス１であって、机６への装着部８が上部に形成される背面部２と、背面部２に対向するように形成される正面部３と、背面部２と正面部３の各左右端部をそれぞれ接続するように形成される左右側面部４と、背面部２と正面部３と左右側面部４の各下端部をそれぞれ接続するように形成される底面部５と、を備え、左右側面部４は正面部３の上端部が背面部２に対して接離可能なように可撓性を有しており、正面部３の上端部を背面部２から離間させると、上面に塵挨投入部が開口されるように構成されていることを特徴とする。【選択図】図１
2014213963.tif 000002
【特許請求の範囲】
【請求項１】
机に着脱可能なダストボックスであって、
前記机への装着部が上部に形成される背面部と、
該背面部に対向するように形成される正面部と、
前記背面部と前記正面部の各左右端部をそれぞれ接続するように形成される左右側面部と、
前記背面部と前記正面部と前記左右側面部の各下端部をそれぞれ接続するように形成される底面部と、
を備え、前記左右側面部は前記正面部の上端部が前記背面部に対して接離可能なように可撓性を有しており、前記正面部の上端部を前記背面部から離間させると、上面に塵挨投入部が開口されるように構成されていることを特徴とするダストボックス。
【請求項２】
前記装着部は前記机の側部に形成されたフックに掛止可能な穴を備えていることを特徴とする請求項１に記載のダストボックス。
【請求項３】
前記正面部の上端部が前記背面部に接触した状態を保持する接触保持部を備えていることを特徴とする請求項１又は２に記載のダストボックス。
【請求項４】
前記正面部の上端部から外側に折り返されてストッパ部が形成されており、該ストッパ部を起立させると、該ストッパ部の上端が前記机の天板より上方に突出するように構成されていることを特徴とする請求項１〜３のいずれか１の請求項に記載のダストボックス。
【発明の詳細な説明】
【技術分野】
【０００１】
本発明は、机の天板上から収集された鉛筆の折れた芯や消しゴムのカス等の塵挨を収容するためのダストボックスに関するものである。
【背景技術】
【０００２】
従来、学校や事務所の机の天板上で発生した鉛筆の折れた芯や消しゴムのカス等の塵挨は、そのまま床に捨てられたり、或いは、机の天板上で収集して机の近くまで持ち運んだゴミ箱の内部に落とし込んで廃棄したりしていた（例えば、非特許文献１参照）。
【先行技術文献】
【非特許文献】
【０００３】
【非特許文献１】アスクルのゴミ箱やダストボックスの通販サイト                  http://www.askul.co.jp/f/dustbox/dustbox00/
【発明の概要】
【発明が解決しようとする課題】
【０００４】
しかしながら、上記したように、机の天板上の塵挨をそのまま床に捨てると、不衛生であり、後に床の清掃作業が面倒であるといった問題がある。また、机の天板上の塵挨をゴミ箱に廃棄する場合には、ゴミ箱を机の近くまで持ち運ぶ必要があり、手間が掛かると共に、天板上の塵挨をゴミ箱に確実に落とし込むことが難しく、床上に飛散するおそれがあるといった問題がある。
【０００５】
本発明は、上記した課題を解決すべくなされたものであり、机の天板上の塵挨を容易且つ確実に収集して廃棄することのできるダストボックスを提供することを目的とするものである。
【課題を解決するための手段】
【０００６】
上記した目的を達成するため、本発明は、机に着脱可能なダストボックスであって、前記机への装着部が上部に形成される背面部と、該背面部に対向するように形成される正面部と、前記背面部と前記正面部の各左右端部をそれぞれ接続するように形成される左右側面部と、前記背面部と前記正面部と前記左右側面部の各下端部をそれぞれ接続するように形成される底面部と、を備え、前記左右側面部は前記正面部の上端部が前記背面部に対して接離可能なように可撓性を有しており、前記正面部の上端部を前記背面部から離間させると、上面に塵挨投入部が開口されるように構成されていることを特徴とする。
【０００７】
この特徴によれば、ダストボックスが机に装着されることにより机上の塵挨を収集する際に塵挨を飛散させることなく確実にダストボックスの内部に収容することができ、衛生的である。また、机上の塵挨をダストボックスに廃棄する際に、ダストボックスをわざわざ机の近くまで持ち運ぶ必要がないため、労力の軽減化を図ることができる。さらに、ダストボックスの未使用時には、ダストボックスをコンパクトにすることができるため、収納スペースの削減を図ることができる。
【０００８】
また、本発明に係るダストボックスにおいて、前記装着部は前記机の側部に形成されたフックに掛止可能な穴を備えていることを特徴としてもよい。
【０００９】
この特徴によれば、ダストボックスを机の側部に簡単は着脱することができる。
【００１０】
また、本発明に係るダストボックスは、前記正面部の上端部が前記背面部に接触した状態を保持する接触保持部を備えていることを特徴としてもよい。
【００１１】
この特徴によれば、ダストボックスを未使用時に塵案投入口を確実に閉塞することができ、塵挨以外のものが誤ってダストボックス内に落下するのを防止することができる。
【００１２】
また、本発明に係るダストボックスには、前記正面部の上端部から外側に折り返されてストッパ部が形成されており、該ストッパ部を起立させると、該ストッパ部の上端が前記机の天板より上方に突出するように構成されていることを特徴としてもよい。
【００１３】
この特徴によれば、ダストボックスの使用時にストッパ部を起立させることで机上の塵挨が床上に飛散するのを防止することができ、塵埃をダストボックス内に容易且つ確実に収容させることができる。
【発明の効果】
【００１４】
本発明によれば、机上の塵挨を容易且つ確実に収集して廃棄することのできる等、種々の優れた効果を得ることができる。
【図面の簡単な説明】
【００１５】
【図１】本発明の実施の形態に係るダストボックスを机に装着させた状態を示す斜視図である。
【図２】本発明の実施の形態に係るダストボックスを示す正面図である。
【図３】図２のＡ−Ａ断面図である。
【図４】（ａ）は本発明の実施の形態に係るダストボックスを机に装着させて塵挨投入部を閉塞させた状態を示す正面図であり、（ｂ）は本発明の実施の形態に係るダストボックスを机に装着させて塵挨投入部を開口させた状態を示す正面図である。
【発明を実施するための形態】
【００１６】
以下、図面を参照しつつ、本発明の実施の形態に係るダストボックスについて説明する。ここで、図１は本発明の実施の形態に係るダストボックスを机に装着させた状態を示す斜視図、図２は本発明の実施の形態に係るダストボックスを示す正面図、図３は図２のＡ−Ａ断面図、図４は（ａ）が本発明の実施の形態に係るダストボックスを机に装着させて塵挨投入部を閉塞させた状態を示す正面図、（ｂ）が本発明の実施の形態に係るダストボックスを机に装着させて塵挨投入部を開口させた状態を示す正面図である。なお、以下の説明では、本発明に係るダストボックスを学校用の机に装着して使用する場合について例示して説明する。
【００１７】
本実施の形態に係るダストボックス１は、例えばシリコン製であり、正面視で矩形状を成しており、例えば２５ｃｍの高さと２５ｃｍの幅を有している。ダストボックス１は、矩形板状の背面部２と、背面部２に対向するように形成される矩形板状の正面部３と、背面部２と正面部３の各左右端部をそれぞれ接続するように形成される左右側面部４と、背面部２と正面部３と左右側面部４の各下端部をそれぞれ接続するように形成される底面部５と、を備え、机６の側部７に着脱可能となっている。
【００１８】
背面図２の上部には、装着部としての穴８が矩形状に形成されており、この穴８を机の側部７に固定されたフック９に掛止することでダストボックス１を机６の側部７に簡単に装着できるようになっている。また、背面部２の上部の背面側には薄いマグネット板１０が取り付けられており、このマグネット板１０の磁力を利用してもダストボックス１を机６の側部７の金属部分に装着できるようになっている。さらに、背面部２の正面側の中央より上方位置には、マグネット片１１が取り付けられている。
【００１９】
正面部３の上端部には、背面部２のマグネット片１１に対向する位置に、背面部２のマグネット片１１と異なる極を有するマグネット片１２が取り付けられており、この２つのマグネット片１１，１２により接触保持部が構成されている。また、正面部３の上端部から外側に折り返されて矩形板状のストッパ部１３が起立可能に形成されており、ストッパ部１３は、ダストボックス１を机６の側部７に装着した状態で起立させると、ストッパ部１３の上端が机６の天板１４より上方に突出する高さを有している。
【００２０】
左右側面部４は、正面部３の上端部が背面部２に対して接離可能なように可撓性を有しており、正面部３の上端部を背面部２から離間させると、上面に塵挨投入部１５が開口されるようになっている。
【００２１】
このような構成を備えた本発明の実施の形態に係るダストボックス１において、ダストボックス１の未使用時には、ダストボックス１を机６から取り外しておくか、或いは、図１及び図４（ａ）に示すように、穴８をフック９に掛止してダストボックス１を机６の側部７に装着させると共に、マグネット片１１，１２同士を吸着させることで正面部３の上端部が背面部２に接触して塵挨投入部１５を閉塞させた状態を保持させておく。これにより、塵埃以外のものが誤ってダストボックス１内に落下するのを確実に防止することができる。
【００２２】
一方、ダストボックス１の使用時には、図４（ｂ）に示すように、マグネット片１１，１２同士の吸着力に抗して正面部３の上端部を背面部２から離間させ、塵挨投入部１５を開口させると共にストッパ部１３を起立させる（図４（ｂ）の二点鎖線参照）。この状態で、机６の天板１４上の塵挨１６を塵挨投入部１５に向けて刷毛等で掃いて移動させてダストボックス１内に落下させる。この時、ダストボックス１が机６の側部７に装着されていると共にストッパ部１３によって塵挨の飛散が防止されるため、塵挨は床上に落下することなく確実にダストボックス１の内部に収容される。
【００２３】
上記したように本発明の実施の形態に係るダストボックス１によれば、机６の天板１４上の塵挨が床に飛散して床が汚染されるのを防止することができるため、衛生的である。また、机６の天板１４上の塵挨をダストボックス１に廃棄する際に、ダストボックス１をわざわざ机６の近くまで持ち運ぶ必要がないため、労力の軽減化を図ることができる。さらに、ダストボックス１の未使用時には、ダストボックス１をコンパクトにすることができるため、収納スペースの削減を図ることができる。
【００２４】
なお、上記した本発明の実施の形態の説明では、ダストボックス１を学校用の机６の側部７に装着して使用する場合について説明したが、本発明をこの場合の使用に限定する趣旨ではない。すなわち、本発明のダストボックスは、事務所机、家庭用勉強机、会議室のテーブル等、学校用の机６以外にも適用可能であり、ダストボックスの装着位置も机の引出しや背面等、側部以外の位置であってもよい。
【００２５】
また、上記した本発明の実施の形態の説明は、本発明に係るダストボックス１における好適な実施の形態を説明しているため、寸法や材質等において技術的に好ましい種々の限定を付している場合もあるが、本発明の技術範囲は、特に本発明を限定する記載がない限り、これらの態様に限定されるものではない。
【００２６】
さらに、上記した本発明の各実施形態における構成要素は適宜、既存の構成要素等との置き換えが可能であり、且つ、他の既存の構成要素との組合せを含む様々なバリエーションが可能であり、上記した本発明の各実施形態の記載をもって、特許請求の範囲に記載された発明の内容を限定するものではない。
【符号の説明】
【００２７】
１    ダストボックス
２    背面部
３    正面部
４    左右側面部
５    底面部
６    机
７    側部
８    穴
９    フック
１１  マグネット片（接触保持部）
１２  マグネット片（接触保持部）
１３  ストッパ部
１４  天板
１５  塵挨投入部
【図１】
2014213963.tif 000003
【図２】
2014213963.tif 000004
【図３】
2014213963.tif 000005
【図４】
2014213963.tif 000006